(57)【要約】  ２つのジョイント部分（２），（２ａ）と、少なくとも１つの連結クリップ（３）とで構成された眼鏡ジョイント（１）において、少なくとも１つの前記連結クリップ（３）は前記ジョイント部分（２），（２ａ）をリンク式につなぎ合わせている眼鏡ジョイント。
2013504788.tif 000002
【特許請求の範囲】
【請求項１】
２つのジョイント部分（２），（２ａ）と、少なくとも１つの連結クリップ（３）とで構成された眼鏡ジョイント（１）において、少なくとも１つの前記連結クリップ（３）は前記ジョイント部分（２），（２ａ）をリンク式につなぎ合わせている眼鏡ジョイント（１）。
【請求項２】
前記ジョイント部分のうちの一方（２）は湾曲部（４）を有しており、他方の前記ジョイント部分（２ａ）は球冠状のキャップ（５）を有しており、一方の前記ジョイント部分（２）の前記湾曲部（４）は他方の前記ジョイント部分（２ａ）の球冠状の前記キャップ（５）の中に配置されていることを特徴とする、請求項１に記載の眼鏡ジョイント（１）。
【請求項３】
各々の前記ジョイント部分（２），（２ａ）は少なくとも１つの切欠き（１０）を有しており、該切欠きの中で少なくとも１つの前記連結クリップ（３）を固定可能であることを特徴とする、請求項１または２に記載の眼鏡ジョイント（１）。
【請求項４】
前記連結クリップ（３）は曲がった長尺状の帯状材料であり、その端部（９）は互いの方を向くように曲がっていることを特徴とする、請求項１から３のいずれか１項に記載の眼鏡ジョイント（１）。
【請求項５】
前記連結クリップ（３）の曲がった前記端部（９）はそれぞれ前記ジョイント部分（２），（２ａ）の切欠き（１０）のうちの１つに係合することを特徴とする、請求項４に記載の眼鏡ジョイント（１）。
【請求項６】
開き角αが変化するときに前記眼鏡ジョイント（１）は自動的に開いた開き角αａｕｆの位置から閉じた開き角αｚｕの位置へと転換するか、または閉じた開き角αｚｕの位置から開いた開き角αａｕｆの位置へと転換することを特徴とする、請求項１から５のいずれか１項に記載の眼鏡ジョイント（１）。
【請求項７】
開いた開き角αａｕｆは約１８０°の角度に相当しており、閉じた開き角αｚｕは約９０°の角度に相当することを特徴とする、請求項６に記載の眼鏡ジョイント（１）。
【請求項８】
両方の前記ジョイント部分（２），（２ａ）のうち少なくとも一方は前記眼鏡ジョイント（１）を折り曲げるときに開き角を制限するストッパ（８）を有していることを特徴とする、請求項１から７のいずれか１項に記載の眼鏡ジョイント（１）。
【請求項９】
開き角αａｕｆは非破壊で約１８０°から約１８６°の値をとることができ、開き角αｚｕは非破壊で約９０°から約８５°の値をとることができることを特徴とする、請求項１から８のいずれか１項に記載の眼鏡ジョイント（１）。
【請求項１０】
前記ジョイント部分（２ａ）は少なくとも１つのブロック状の材料隆起部（１５）を有しており、前記ジョイント部分（２）は、少なくとも１つのブロック状の前記材料隆起部（１５）を収容できるように成形、寸法決めされたレール（１６）を有していることを特徴とする、請求項１から９のいずれか１項に記載の眼鏡ジョイント（１）。
【請求項１１】
前記ジョイント部分（２），（２ａ）は眼鏡のつるまたは眼鏡の縁に取り付けるための装置（６）を有していることを特徴とする、請求項１から１０のいずれか１項に記載の眼鏡ジョイント（１）。
【請求項１２】
前記ジョイント部分（２，２ａ）は、眼鏡のつるまたは眼鏡の縁に固定可能である少なくとも１つのピン（７）、少なくとも１つのアンカ、および／または少なくとも１つの構造化された接着面を有していることを特徴とする、請求項１から１０のいずれか１項に記載の眼鏡ジョイント（１）。
【請求項１３】
両方の前記ジョイント部分（２），（２ａ）のうちの一方の一方の端部は眼鏡のつるの形態の延長部を有しており、および／または他方の前記ジョイント部分（２），（２ａ）の自由端は眼鏡の縁の形態の延長部を有していることを特徴とする、請求項１から１２のいずれか１項に記載の眼鏡ジョイント（１）。
【請求項１４】
請求項１から１３のいずれか１項に記載の眼鏡ジョイント（１）と、２つの眼鏡のつると、１つの眼鏡の縁とを備える眼鏡フレームにおいて、前記眼鏡ジョイント（１）は一方のジョイント側で眼鏡の縁と連結されるとともに、他方のジョイント側でそれぞれ眼鏡のつると連結されていることを特徴とする眼鏡フレーム。
【請求項１５】
請求項１から３のいずれか１項に記載の少なくとも１つの眼鏡ジョイント（１）を含んでいる眼鏡フレーム。
【請求項１６】
請求項１から１３のいずれか１項に記載の眼鏡ジョイント（１）の利用法において、眼鏡フレームを製造するための利用法。
【発明の詳細な説明】
【技術分野】
【０００１】
本発明は、２つのジョイント部分と少なくとも１つの連結クリップとで構成された眼鏡ジョイントに関する。さらに本発明は、本発明による２つの眼鏡ジョイントと、２つの眼鏡のつると、眼鏡の縁とで構成された眼鏡フレームに関する。
【背景技術】
【０００２】
多くの眼鏡フレームでは、眼鏡のつるを眼鏡ジョイントによって折り曲げることができる。眼鏡ジョイントはしばしばヒンジの形態で構成されており、その各コンポーネントはネジによってつなぎ止められている。ヒンジは、各ジョイント部分が相互に形成する開き角αを制限するストッパを有していることが多い。このような制限により、開き角αが約１８０°の値を超えることが防止される。しかしこのような設計は、開き角の超過が、すなわち眼鏡を大きく開くことが、眼鏡フレームが曲がったり破損したりするという結果につながる欠点がある。従来技術による眼鏡ジョイントのさらに別の欠点は、ヒンジで使用されるネジが時間の経過とともに緩む可能性があり、締め直さなくてはならないことである。
【発明の概要】
【発明が解決しようとする課題】
【０００３】
したがって本発明の課題は、従来技術の欠点を克服する眼鏡ジョイントを提供することにある。さらに本発明の課題は、本発明による眼鏡ジョイントを含む眼鏡フレームを提供することにある。
【課題を解決するための手段】
【０００４】
本発明の課題は、２つのジョイント部分と、各ジョイント部分をリンク式につなぎ合わせる少なくとも１つの連結クリップとで構成される眼鏡ジョイントによって解決される。
【０００５】
すなわち本発明の課題は、主請求項に記載された眼鏡ジョイントを提供することによって解決される。本発明による眼鏡ジョイントの好ましい実施形態は、従属の副請求項に特徴が記載されている。
【０００６】
本発明による眼鏡ジョイント１は、２つのジョイント部分２，２ａと、少なくとも１つの連結クリップ３とで構成されており、少なくとも１つの連結クリップ３はジョイント部分２，２ａをリンク式につなぎ合わせている。
【０００７】
本発明によると、ジョイント部分２のうちの一方は湾曲部４を有しており、他方のジョイント部分２ａは球冠状のキャップ５を有しており、一方のハウジング部分２の湾曲部４は他方のジョイント部分２ａの球冠状のキャップ５の中に配置されているのが好ましい。
【０００８】
さらに本発明によると、各々のジョイント部分２，２ａは少なくとも１つの切欠き１０を有しており、該切欠きの中で少なくとも１つの連結クリップ３を固定可能であるのが好ましい。
【０００９】
本発明によると、連結クリップ３は曲がった長尺状の帯状材料であり、その各端部９は互いの方を向くように曲がっているのが好ましい。
【００１０】
本発明によると、連結クリップ３の曲がった端部９はそれぞれジョイント部分２，２ａの切欠き１０のうちの１つに係合するのが好ましい。
【００１１】
本発明によると、開き角αが変化するときに眼鏡ジョイント１は自動的に、開いた開き角αａｕｆの位置から閉じた開き角αｚｕの位置へと転換するか、または、閉じた開き角αｚｕの位置から開いた開き角αａｕｆの位置へと転換するのが好ましい。
【００１２】
開いた開き角αａｕｆは約１８０°の角度に相当しており、閉じた開き角αｚｕは約９０°の角度に相当しているのがきわめて特別に好ましい。
【００１３】
本発明によると、両方のジョイント部分２，２ａのうち少なくとも一方は、眼鏡ジョイント１を折り曲げるときの開き角を制限するストッパ８を有しているのが特別に好ましい。
【００１４】
さらに本発明によると、開き角αａｕｆは約１８０°から約１８６°までの角度を非破壊でとることができ、開き角αｚｕは約９０°から約８５°までの値を非破壊でとることができるのが好ましい。
【００１５】
ジョイント部分２ａが少なくとも１つのブロック状の材料隆起部１５を有しており、ジョイント部分２は、少なくとも１つのブロック状の材料隆起部１５を収容できるように成形、寸法決めされたレール１６を有している、本発明による眼鏡ジョイント１も好ましい。
【００１６】
さらに本発明によると、ジョイント部分２，２ａは、眼鏡のつるまたは眼鏡の縁に取り付けるための装置を有しているのが好ましい。
【００１７】
このとき、ジョイント部分２，２ａは、眼鏡のつるまたは眼鏡の縁に固定可能である、少なくとも１つのピン７、少なくとも１つのアンカ、および／または構造化された接着面を有しているのが特別に好ましい。
【００１８】
さらに本発明によると、両方のジョイント部分２，２ａのうち一方の一方の端部が眼鏡のつるの形態の延長部を有しており、および／または他方のジョイント部分２，２ａの自由端が眼鏡の縁の形態の延長部を有している、眼鏡ジョイント１が好ましい。
【００１９】
本発明による２つの眼鏡ジョイント１と、２つの眼鏡のつると、眼鏡の縁とで構成され、眼鏡ジョイント１は一方のジョイント側では眼鏡の縁と連結されるとともに、他方のジョイント側ではそれぞれ眼鏡のつると連結された眼鏡フレームも、本発明の対象である。
【００２０】
少なくとも１つの本発明による眼鏡ジョイント１を含む眼鏡フレームも、本発明の対象である。
【００２１】
本発明のさらに別の対象は、眼鏡フレームを製造するための、本発明による眼鏡ジョイント１の利用法である。
【００２２】
高い力作用が生じたときに、本発明による眼鏡ジョイントの構造は、約１８０°である値αａｕｆから約１８６°の値αｍａｘまで、開き角αの非破壊での超過を可能にするとともに（過大な曲げ）、約９０°である値αｚｕから約８５°の値αｍｉｎまで、開き角αの不足を可能にする（過小な曲げ）。αｍｉｎは多くの場合、眼鏡の縁によって制限される。それが当てはまらない場合、頭部の方を向いているクリップの側がストッパとしての役目をすることもでき、大きすぎる重なり合いを防止する。
【００２３】
さらに、高い力作用が生じたとき、ジョイント軸に対して垂直方向への（各ジョイント部分により形成される平面から外に出る）、本発明による眼鏡ジョイントの非破壊での偏向も可能である。このとき平面から外に出る偏向は、約４°の角度αｏｂｅｎまで、ないしは同じく約４°の角度αｕｎｔｅｎまで行うことができる。このような運動は、ジョイント軸の欠如によって初めて可能となる。ここで本件においてジョイント軸とは、ネジ、シャフト、またはこれらに類似する部材によって形成される軸を意味している。
【００２４】
方向αｏｂｅｎないしαｕｎｔｅｎへの運動は、クリップの幅によって制限することができる。このときクリップはジョイントの内部に定着する。
【００２５】
さらに本発明のジョイントでは、眼鏡のつるの軸におけるトーションの形態の偏向を生じさせることができる。ジョイントの両方の摺動面の形状が球の形状に近いほど、このようなトーションが容易に生じる。このような種類の回転運動が望ましくないときは、円弧状のレールが摺動面の領域でこのような運動を妨げることができる。
【００２６】
空間方向への非破壊での運動の程度は、すなわち、本発明によるジョイントの運動の余地は、連結クリップの幾何学形状と材質とによってほぼ定義される。
【００２７】
眼鏡ジョイントの過度の伸長、すなわち、約１８０°の値を上回ってαｍａｘの値までの開き角αａｕｆの増大、および眼鏡ジョイントの過小の伸長、すなわち、９０°の値を下回ってαｍｉｎまでの開き角αｚｕの減少、および、ジョイント軸に対して垂直方向への（各ジョイント部分により形成される平面から外に出る）値αｏｂｅｎないしαｕｎｔｅｎまでの眼鏡ジョイントの偏向は、本発明による眼鏡ジョイントによって緩衝される。同様に、ジョイントに対して、またはジョイントが組み込まれた眼鏡フレームに対して、日常生活で発生する可能性がある軽微な衝撃は、眼鏡ジョイントや眼鏡フレームの曲がりや破損にはつながらない。
【００２８】
さらに従来技術の眼鏡ジョイントに比べて利点となるのは、眼鏡ジョイントで通常用いられるネジ、軸ピン、またはその他の取付手段の使用を省略できることである。摩耗部品であると見なされる唯一の部品は連結クリップである。連結クリップは簡単に取り換えることができる。
【００２９】
本発明による眼鏡ジョイントは、ボールジョイントとヒンジジョイントとの好ましい組み合わせである。
ジョイント部分２，２ａのうちの一方、すなわちジョイント部分２は湾曲部４を有しており、他方のジョイント部分２ａは球冠状のキャップ５を有しており、一方のジョイント部分２の湾曲部４は他方のジョイント部分２ａの球冠状のキャップ５の中に配置されているのが好ましい。
湾曲部４を有するジョイント部分２はジョイント頭部を形成し、円冠状のキャップ５を有するジョイント部分２ａはジョイントソケットを形成する。ジョイント頭部とジョイントソケットの間の枢着結合を成立させて維持するために、これらは少なくとも１つの連結クリップ３と連結されている。連結クリップ３の機能は、解剖学における腱と靭帯の機能に比肩することができる。少なくとも１つの連結クリップ３は、ジョイント頭部とジョイントソケットによって形成されるユニットを取り囲む。
【００３０】
各々のジョイント部分は、少なくとも１つの連結クリップを中で固定可能である少なくとも１つの切欠きを有しているのが好ましい。このとき切欠きは、ジョイント部分にある単純な穴または突起であってよく、切欠きは、少なくとも１つの連結クリップをこれに固定することができるように構成されている。
このとき少なくとも１つの連結クリップは、フック留め、片側での接着とフック留め、片側での溶接とフック留め、またはこれらに類似する方法によって固定されるのが好ましい。
【００３１】
少なくとも１つの連結クリップは、端部が互いの方を向くように曲がっている、曲がった長尺状の帯状材料であるのが好ましい。連結クリップは、たとえば金属やプラスチックのような柔軟な材料でできている。
【００３２】
少なくとも１つの連結クリップの曲がった各端部は、各ジョイント部分の切欠きのうちの１つにそれぞれ係合するのが好ましい。切欠きの縁部には、連結クリップの改善された取付けに利用される段部が配置されていてよい。このような段部は、材料の削減や貫通部によって得ることができる。
【００３３】
本発明の１つの好ましい実施形態では、眼鏡ジョイントは開き角αが変化するときに自動的に、開いた開き角αａｕｆの位置から閉じた開き角αｚｕの位置へと転換するか、または、閉じた開き角αｚｕの位置から開いた開き角αａｕｆの位置へと転換する。
【００３４】
連結クリップの応力により、開閉した後に各ジョイント部分が自動的に復帰する２つの開き角αすなわちαａｕｆおよびαｚｕが定義される。
【００３５】
開いた開き角αａｕｆは１８０°の角度に相当しており、閉じた開き角αｚｕは約９０°の角度に相当しているのが好ましい。
【００３６】
両方のジョイント部分のうちの一方または両方は、開き角αを制限し、αａｕｆとαｚｕを規定するストッパを有しているのが好ましい。それにより、本発明の眼鏡ジョイントを眼鏡フレームで使用したとき、眼鏡を開閉するときに眼鏡のつると眼鏡の縁の間で形成される角度も規定される。眼鏡ジョイントの約１８０°の開き角αａｕｆは、眼鏡のつると眼鏡の縁の間の約９０°の角度に相当する。約９０°の眼鏡ジョイントの開き角αｚｕは、眼鏡のつると眼鏡フレームの間の約１８０°の角度に相当する。
【００３７】
眼鏡のつると眼鏡フレームの間の９０°を超える角度の形成によって眼鏡ジョイントが過度に伸長したとき、眼鏡フレームの開き角αａｕｆは、連結クリップによって最大の値αｍａｘに制限される。この角度を上回ったときに初めて、ジョイントないし眼鏡フレームの撓曲が引き起こされる。このように連結クリップは固定的ではなく、１８０°よりも大きい角度への開き角αａｕｆの過度の伸長を可能にする（αｍａｘ）。
【００３８】
開いた状態でのつるの軸を中心とするつるの回転運動を防止もしくは減衰するために、ないしは、閉じた状態におけるフロントマスクのジョイント中心点を中心とする開閉方向へのつるの旋回運動を防止もしくは減衰するために、ジョイントソケットは、対応部材にある相応のレールで摺動する、雄型に成形された１つまたは複数のブロックを有することができる。ジョイントの通常の開閉運動がそれによって影響を受けることはない。各ジョイント部分の相互の回動だけがレールの成形によって防止され、もしくは困難になる。このことは、ジョイントの運動性をすべての方向で制約するが、場合により、専門的に正しくない取り扱いを防止する。
【００３９】
本発明による眼鏡ジョイントを眼鏡フレームで適用できるようにするために、２つのジョイント部分の各々は、眼鏡のつるまたは眼鏡の縁に各ジョイント部分を取り付けるための装置を有しているのが好ましい。このような装置は挿入体（インレイ）の形態で構成され、該挿入体により眼鏡ジョイントの一部が眼鏡のつるまたは眼鏡の縁に差し込まれてそこで固定され、または、眼鏡のつるまたは眼鏡の縁の一部が中へ挿入される中空スペースを形成する。
【００４０】
眼鏡ジョイントは接着または溶接（流し込み）によって、眼鏡のつるおよび眼鏡の縁と連結されるのが好ましい。
さらにジョイント部分を取り付ける装置は、眼鏡ジョイントと眼鏡のつるまたは眼鏡の縁との間の連結部を固定する構造またはその他の面を有することができる。
【００４１】
ジョイント部分を取り付けるための別の手段は、眼鏡のつるまたは眼鏡の縁に固定可能である少なくとも１つのピンを含んでいるのが好ましい。このような実施形態は、少なくとも１つのピンが眼鏡のつるまたは眼鏡の縁の一部に係合することができ、それによって各部品の安定した連結が実現されるという利点を有している。少なくとも１つのピンは、さらに追加的に粗面化されていてよく、あるいは異形断面を有することができ、それによって各部品の連結が追加的に固定される。
【００４２】
以上に説明した実施形態では、本発明による眼鏡ジョイントは眼鏡のつるおよび眼鏡の縁と連結される。あるいは本発明による眼鏡ジョイントは、眼鏡のつるまたは眼鏡の縁が眼鏡ジョイントの一部であるように構成されていてもよい。
【００４３】
たとえば本発明の１つの好ましい実施形態では、本発明による眼鏡ジョイントの両方のジョイント部分のうちの一方の端部は、眼鏡のつるの形態の延長部を有している。その代替または追加として、他方のジョイント部分の自由端は、眼鏡の縁の形態の延長部を有することができる。
【００４４】
本発明による眼鏡ジョイントのジョイント部分は、型押し、金属粉末射出成形、亜鉛ダイカスト、薄板成形などの方法によって製造することができる。
【００４５】
特に、ＭＩＭ法（ＭＩＭ：Ｍｅｔａｌ  Ｉｎｊｅｃｔｉｏｎ  Ｍｏｌｄｉｎｇ）とも呼ばれる金属射出成形は、ジョイント部分を製造するのに好適な方法である。基本的に、金属粉末射出成型による製造は次の４つのステップで行われる：
【００４６】
１．細かい金属粉末、熱可塑性プラスチック、および可塑化能力のあるグラニュールの混合によって、基本材料、いわゆる供給原料を製作する。
【００４７】
２．成形は従来式の射出成形機によって行われる。このとき、いわゆるグリーン体ができる。グリーン体は希望される製品よりもおよそ２０％大きいが、完成した最終製品のすべての幾何学特性をすでに有している。
【００４８】
３．結合剤成分の除去は、使用する材料に応じて抽出、触媒作用、または熱分解によって行われる。
【００４９】
４．本方法により得られた多孔性の成形体をブラウン体と呼ぶ。これは真空または保護ガスのもとで焼結され、その際にその最終的な幾何学形状になる。
【００５０】
ジョイント部分を製造するのに適した材料は、特に、アレルギー性でない（ニッケルを含まない）硬度の高いステンレス鋼である。チタン合金やマグネシウム合金も機械的には適しているが、コスト集中的である。
【００５１】
以後のステップで、ジョイント部分が洗浄、脱脂される。次いで、ジョイント部品の表面を希望する用途に応じて、あるいは美観上の都合から、研削、研磨し、塗装を施し、さび止めし、あるいは、たとえば電気分解やＰＶＤコーティング（ｐｈｙｓｉｃａｌ  ｖａｐｏｕｒ  ｄｅｐｏｓｉｔｉｏｎ物理蒸着）によって別の層を塗布して、仕上げ処理をすることができる。
【００５２】
あるいは、金属粉末射出成形法により製造されたジョイント部分は、以後の処理を行うことなく、少なくとも１つの連結クリップと接合して本発明に基づく眼鏡ジョイントにすることができる。
【００５３】
プラスチックの射出成形法でのジョイント部分の製造も好ましい。
【００５４】
優れた摺動特性を有する、および場合により部分的に金属の補強部を連結クリップの載置領域に有するプラスチック、たとえばポリアミド、ポリエチレン、ポリテトラフルオロエチレン、ポリエチレンテレフタレート、およびその他の靭性のあるプラスチックが、ジョイントのために考えられる素材である。
【００５５】
連結クリップは、金属で製作されて希望する形状に曲げられ、または射出成形法によりプラスチックから製作され、またはプラスチックから熱作用のもとで形状を付与される。
【００５６】
１つまたは複数の連結クリップを各ジョイント部分の切欠きに固定するのが好ましい。ジョイント部分の切欠きは、上に説明したように構成されていてよい。切欠きは、連結クリップを取り付けるために、２つのジョイント部分を介してクリップ留めされ、それによって連結クリップの各端部が切欠きに係合する。
【００５７】
次に、図面を参照しながら本発明について詳しく説明する。
【図面の簡単な説明】
【００５８】
【図１ａ】本発明による眼鏡ジョイントをさまざまな視覚から示す三次元の図である。
【図１ｂ】本発明による眼鏡ジョイントをさまざまな視覚から示す三次元の図である。
【図１ｃ】本発明による眼鏡ジョイントをさまざまな視覚から示す三次元の図である。
【図１ｄ】本発明による眼鏡ジョイントをさまざまな視覚から示す三次元の図である。
【図２ａ】本発明による眼鏡ジョイントの第２の実施形態を示す三次元の図である。
【図２ｂ】本発明による眼鏡ジョイントの第２の実施形態を示す三次元の図である。
【図３】本発明による眼鏡ジョイントの第２の実施形態を示す分解図である。
【図４ａ】本発明による眼鏡ジョイントの第３の実施形態を示す三次元の図である。
【図４ｂ】本発明による眼鏡ジョイントの第３の実施形態を示す三次元の図である。
【図５ａ】本発明による眼鏡ジョイントの第４の実施形態を示す三次元の図である。
【図５ｂ】本発明による眼鏡ジョイントの第４の実施形態を示す三次元の図である。
【図６ａ】本発明による眼鏡ジョイントの第５の実施形態を示す三次元の図である。
【図６ｂ】本発明による眼鏡ジョイントの第５の実施形態を示す三次元の図である。
【図７ａ】本発明による眼鏡ジョイントの第６の実施形態を示す三次元の図である。
【図７ｂ】本発明による眼鏡ジョイントの第６の実施形態を示す三次元の図である。
【図８ａ】本発明による眼鏡ジョイントの第７の実施形態を示す三次元の図である。
【図８ｂ】本発明による眼鏡ジョイントの第７の実施形態を示す三次元の図である。
【図９ａ】本発明による眼鏡ジョイントの第８の実施形態を示す三次元の図である。
【図９ｂ】本発明による眼鏡ジョイントの第８の実施形態を示す三次元の図である。
【図１０ａ】本発明による眼鏡ジョイントの第９の実施形態を示す分解図である。
【図１０ｂ】本発明による眼鏡ジョイントの第９の実施形態を示す三次元の図である。
【図１０ｃ】本発明による眼鏡ジョイントの第９の実施形態を示す三次元の図である。
【発明を実施するための形態】
【００５９】
図１ａから１ｄは、本発明による眼鏡ジョイント１の三次元の図面をさまざまな視覚から示している。眼鏡ジョイント１は、この実施形態では、２つのジョイント部分２および２ａと、連結クリップ３とで構成されている。２つのジョイント部分２のうちの一方は湾曲部４を有しており、他方のジョイント部分２ａは球冠状のキャップ５を有している。このとき第１のジョイント部分２の湾曲部４は、第２のジョイント部分２ａの球冠状のキャップ５の中に配置されており、それにより、両方のジョイント部分２および２ａは、連結クリップ３によりリンク式につなぎ合わされたボールジョイントを共同で形成する。
【００６０】
ジョイント部分２および２ａは装置６を有しており、この装置によって、眼鏡の縁または眼鏡のつると連結可能である。このとき装置６は、眼鏡のつるないし眼鏡の縁の穴または切欠きに差し込まれ、場合によりそこで接着される。図１ａから１ｄに示す本発明の眼鏡ジョイント１の実施形態では、ジョイント部分２，２ａは、眼鏡ジョイント１と眼鏡の縁もしくは眼鏡のつるとの間の連結の安定性を高めるピン７を有している。
【００６１】
図１ａ，１ｂおよび１ｃは、このような眼鏡ジョイント１を備える眼鏡をかけたときに、かけた人の頭部の方を向く側から、本発明による眼鏡ジョイント１を示している。図１ｄは、かけた人の頭部と反対を向く方の眼鏡ジョイント１の側を示している。
【００６２】
図１ａおよび１ｃは、１８０°の開き角αａｕｆの位置で眼鏡ジョイント１を示している。本発明による眼鏡ジョイント１の構造は、開き角αａｕｆを非破壊で超えて眼鏡ジョイント１を開くことを可能にし、それによって開き角αは１８０°よりも大きくなる（αｍａｘ）。
【００６３】
図１ｂおよび１ｄは、約９０°の開き角αｚｕの位置で、眼鏡ジョイント１を示している。この位置は、眼鏡のつるを閉じたときの位置にほぼ相当する。
【００６４】
眼鏡ジョイント１の動きを制限するために、両方のジョイント部分２および２ａはストッパ８を有している。このストッパ８は、９０°の開き角αと１８０°の開き角αとの間で眼鏡ジョイント１の開閉を制限する。これは、眼鏡のつるを閉じたときの眼鏡ジョイント、開いたときの眼鏡ジョイントに相当する。
【００６５】
連結クリップ３の各端部９は互いの方を向くように曲がっており、連結クリップ３を固定する役目をする。図１ｄに示すように、連結クリップ３の両方の湾曲した端部９が、それぞれジョイント部分２，２ａの切欠き１０に係合する。
【００６６】
図２ａおよび２ｂは、眼鏡ジョイント１の別の実施形態を示している。この実施形態では、眼鏡ジョイント１はピン７を有していない。
【００６７】
図３は、２つのジョイント部分２および２ａと連結クリップ３とで構成される、図２ａおよび２ｂに示す眼鏡ジョイント１の実施形態の分解図を示している。
【００６８】
ジョイント１のウェブ１１は、開いた状態のときの正しい位置のために作用する。このウェブは載置面１２に載っており、そのようにして、これ以上の開きを妨げる。
しかし力の作用が大きいと、ジョイントがさらに開く可能性がある。そのとき凸面状のジョイント部分２ａは、凹面状のジョイント部分２の平坦な載置部から離れ、クリップがウェブ１１の上に載るまでさらに若干回動する。するとクリップが最終的にそれ以上の開きを制限し、それ以上はジョイントを非破壊で開くことはできなくなる。
【００６９】
図４ａおよび４ｂは、連結クリップ３の端部９が装置６を取り囲む、眼鏡ジョイント１の別の実施形態を示している。このとき切欠き１０は、材料厚みの削減によってこの領域に生じる段部の形態で構成されている。
【００７０】
眼鏡ジョイント１の別の実施形態が図５ａおよび５ｂに示されている。この実施形態では、球冠状のキャップ５と湾曲部４は、連結クリップ３の滑りを防止する案内条片１３を有している。さらに案内条片１３は、眼鏡のつるまたは眼鏡の縁を取り付けるために利用することもできる。
【００７１】
図６ａおよび６ｂは、図５ａおよび５ｂに示す実施形態に基本的に対応するが、これとは違って案内条片１３の若干別の構成を有する、眼鏡ジョイント１の別の実施形態を示している。この案内条片１３は、眼鏡ジョイント１の運動を制限するストッパ８を有している。
【００７２】
図７ａおよび７ｂに示す眼鏡ジョイント１の実施形態は、ジョイント部分２および２ａがそれぞれの端部で平坦化されていることによって、図４ａおよび４ｂに示す実施形態と相違している。このような平坦化された端部を、連結クリップ３の端部９が取り囲む。
【００７３】
図８ａおよび８ｂに示す眼鏡ジョイントの実施形態では、眼鏡ジョイントの部分２ａは、ジョイント部分２の方を向いている円冠状の部分５の側に配置された、雄型に成形されたブロック１５を有している。ジョイント部分２は、成形されたブロック１５を収容することができるように配置、構成されたレール状の領域１６を有している。図８ａおよび８ｂに示す実施形態では、雄型に成形されたブロック１５およびレール１６はジョイント部分２ａおよび２の上側領域にある。
【００７４】
図９ａおよび９ｂに示す眼鏡ジョイント１の実施形態も、雄型に成形されたブロック１５をジョイント部分２ａに有しており、これに対してジョイント部分２にはレール状の領域１６が構成されている。図８ａおよび８ｂに示す実施例とは異なり、ブロック１５は球冠状の部分のほぼ中央に構成されており、レール１６はジョイント部分２ａの球形部分のほぼ中央に構成されている。
【００７５】
図１０ａ，１０ｂおよび１０ｃは、眼鏡ジョイントが２つの連結クリップ３を含んでいる、本発明による眼鏡ジョイントの実施形態を示している。各々のジョイント部分２，２ａが２つの切欠き１０を有しており、これらの切欠きに連結クリップ３がその曲がった端部９で係合する。さらに各々のジョイント部分２，２ａは、２つのピン７を含んでいる。図示した実施形態では、眼鏡ジョイントはストッパ８を含んでいる。この実施形態のこれ以外の構成要件は、図１ａから１ｄに示す実施形態の構成要件に対応している。
【００７６】
図１から１０に示す眼鏡ジョイント１の実施形態は、挿入体（インレイ）の形態で眼鏡の縁と眼鏡のつるの間の連結部として組み込むのに適している。
【符号の説明】
【００７７】
１  眼鏡ジョイント
２，２ａ  ジョイント部分
３  連結クリップ
４  湾曲部
５  球冠状のキャップ
６  ジョイント部分を取り付ける装置
７  ピン
８  ストッパ
９  連結クリップの曲がった端部
１０  切欠き
１１  ウェブ
１２  案内通路
１３  案内条片
１４  異形断面
１５  成形されたブロック
１６  レール
【図１ａ】
2013504788.tif 000003
【図１ｂ】
2013504788.tif 000004
【図１ｃ】
2013504788.tif 000005
【図１ｄ】
2013504788.tif 000006
【図２ａ】
2013504788.tif 000007
【図２ｂ】
2013504788.tif 000008
【図３】
2013504788.tif 000009
【図４ａ】
2013504788.tif 000010
【図４ｂ】
2013504788.tif 000011
【図５ａ】
2013504788.tif 000012
【図５ｂ】
2013504788.tif 000013
【図６ａ】
2013504788.tif 000014
【図６ｂ】
2013504788.tif 000015
【図７ａ】
2013504788.tif 000016
【図７ｂ】
2013504788.tif 000017
【図８ａ】
2013504788.tif 000018
【図８ｂ】
2013504788.tif 000019
【図９ａ】
2013504788.tif 000020
【図９ｂ】
2013504788.tif 000021
【図１０ａ】
2013504788.tif 000022
【図１０ｂ】
2013504788.tif 000023
【図１０ｃ】
2013504788.tif 000024
【国際調査報告】
2013504788.tif 000025
2013504788.tif 000026
2013504788.tif 000027
2013504788.tif 000028
2013504788.tif 000029
2013504788.tif 000030